(57)【特許請求の範囲】
【請求項１】
参照信号を送信する複数の送信点と、前記複数の送信点を管理する管理装置と、移動局とを有する無線通信システムにおける管理装置であって、
前記複数の送信点のうち、移動局との通信に用いられる１以上の送信点をグループ化することで生成される第一のクラスタと第二のクラスタと管理する管理部と、
前記第一のクラスタ及び前記第二のクラスタ内の複数の送信点の各々から送信される参照信号の割当てを制御する制御部と、
を有し、
前記管理部は、前記第一のクラスタ内の送信点により形成される複数のセルと前記第二のクラスタ内の送信点により形成される複数のセルの一部が重複することを検出し、
前記制御部は、前記管理部で重複が検出された場合、前記第一のクラスタ内の送信点により形成される複数のセルの各々と、前記第二のクラスタ内の送信点により形成される複数のセルの各々とに直交する参照信号を割当て、
前記複数の送信点の各々が形成するセルの重複を管理するセル管理情報を記憶する記憶部、を有し、
前記管理部は、前記第一のクラスタにグループ化される送信点又は前記第二のクラスタにグループ化される送信点を変更する際に、前記セル管理情報に基づいて、前記第一のクラスタ内の送信点により形成される複数のセルと前記第二のクラスタ内の送信点により形成される複数のセルの一部が重複することを検出する、
管理装置。
【請求項２】
前記管理部は、前記第一のクラスタ内の送信点により形成される複数のセルと前記第二のクラスタ内の送信点により形成される複数のセルのうち一部が重複することを検出した場合、前記第二のクラスタにグループ化される送信点のうち、重複するセルを形成する送信点を前記第二のクラスタから削除する、
請求項１に記載の管理装置。
【請求項３】
前記制御部は、前記第一のクラスタにおいて重複するセルを形成する送信点に割当てられる参照信号と、前記第二のクラスタにおいて重複するセルを形成する送信点に割当てられる参照信号とが同一である場合、前記第二のクラスタにおいて重複するセルを形成する送信点に割当てられている参照信号と、前記第二のクラスタにおいて重複しないセルを形成する送信点に割当てられている参照信号とを入れ替える、
請求項１に記載の管理装置。
【請求項４】
前記管理部は、前記第一のクラスタにグループ化される送信点の一部と前記第二のクラスタにグループ化される送信点の一部とが同一になるように前記第一のクラスタと前記第二のクラスタのグループ化を行い、
前記制御部は、前記第一のクラスタのみにグループ化される送信点が形成するセルと、前記第二のクラスタのみにグループ化される送信点が形成するセルと、前記第一のクラスタ及び前記第二のクラスタの両方にグループ化される送信点が形成するセルとで直交する参照信号の割当てを行う、請求項１に記載の管理装置。
【請求項５】
前記第一のクラスタ及び前記第二のクラスタにグループ化される送信点の数は、該無線通信システム内で直交する参照信号として割当て可能な参照信号の数以下である、請求項１乃至４のいずれか一項に記載の管理装置。
【発明の詳細な説明】
【技術分野】
【０００１】
本発明は、管理装置に関する。
【背景技術】
【０００２】
ＬＴＥ（Long Term Evolution）では、システム容量の更なる大容量化、データ伝送速度の更なる高速化、無線区間における更なる低遅延化などを実現するために、様々な無線技術の検討が進んでいる。
【０００３】
ＬＴＥでは、複数の基地局が協調して無線信号の送受信を行うことが可能なＣｏＭＰ（Coordinated Multi Point）と呼ばれる技術が実現されている。ＣｏＭＰでは、複数の基地局が協調して下り信号の送信を行うことで、複数のセルが重なりあうセル端における受信品質を向上させることが可能である。ＬＴＥにおける協調送信の例を図１に示す。
【先行技術文献】
【特許文献】
【０００４】
【特許文献１】特開２０１４−１６５５０６号公報
【発明の概要】
【発明が解決しようとする課題】
【０００５】
ここで、多数の基地局を超高密度に配置して多数のセルをオーバーラップさせると共に、多数の基地局が協調して無線信号の送受信を行う超高密度分散アンテナシステムを構築することができれば、システム容量を更に大容量化することができると考えられる。また、システム容量の大容量化に伴い、エリア内により多くの端末を収容可能になると考えられる。超高密度分散アンテナシステムの例を図２に示す。
【０００６】
多数の基地局が超高密度に配置されるような超高密度分散アンテナシステムにおいてＭＩＭＯ伝送等を実現するためには、各基地局が備えるアンテナ素子（以下、「送信点」と呼ぶ）から直交した参照信号を送信する必要がある。しかしながら、全ての送信点に対して直交した参照信号を予め割当てようとすると、用意すべき参照信号の数が膨大になり現実的ではない。
【０００７】
一方で、超高密度分散アンテナシステム内において、移動局が存在する位置にはある程度片寄りがあることが想定される。そこで、移動局が通信に用いる複数の送信点をグループ化することでクラスタを生成し、クラスタ内で参照信号が直交化されるように参照信号を割当てるようにすることで、クラスタ間で参照信号を使い回すことが可能になると考えられる。
【０００８】
図３は、クラスタの例を説明する図である。図３の例に示す状態では、クラスタＡの送信点が形成するセルと、クラスタＢの送信点が形成するセルは重複していないため、クラスタＡの各送信点に割当てられる参照信号と、クラスタＢの各送信点に割当てられる参照信号とが重複していても干渉が生じることはない。
【０００９】
しかしながら、移動局の移動等に伴いクラスタの再構築を行おうとすると、複数のクラスタ間のセル（クラスタ内の送信点が形成するセル）が重複する可能性がある。例えば、図４に示すように、移動局の移動に伴いクラスタの再構築を行った場合、クラスタＡとクラスタＢのセルの一部が重複してしまうことになる。このような状態では重複部分において参照信号が干渉してしまう可能性があり、移動局が通信を行うことができなくなってしまう。
【００１０】
開示の技術は上記に鑑みてなされたものであって、複数の送信点を有する無線通信システムにおいて、参照信号の干渉を抑止することが可能な技術を提供することを目的とする。
【課題を解決するための手段】
【００１１】
開示の技術の管理装置は、参照信号を送信する複数の送信点と、前記複数の送信点を管理する管理装置と、移動局とを有する無線通信システムにおける管理装置であって、前記複数の送信点のうち、移動局との通信に用いられる１以上の送信点をグループ化することで生成される第一のクラスタと第二のクラスタと管理する管理部と、前記第一のクラスタ及び前記第二のクラスタ内の複数の送信点の各々から送信される参照信号の割当てを制御する制御部と、を有し、前記管理部は、前記第一のクラスタ内の送信点により形成される複数のセルと前記第二のクラスタ内の送信点により形成される複数のセルの一部が重複することを検出し、前記制御部は、前記管理部で重複が検出された場合、前記第一のクラスタ内の送信点により形成される複数のセルの各々と、前記第二のクラスタ内の送信点により形成される複数のセルの各々とに直交する参照信号を割当て、前記複数の送信点の各々が形成するセルの重複を管理するセル管理情報を記憶する記憶部、を有し、前記管理部は、前記第一のクラスタにグループ化される送信点又は前記第二のクラスタにグループ化される送信点を変更する際に、前記セル管理情報に基づいて、前記第一のクラスタ内の送信点により形成される複数のセルと前記第二のクラスタ内の送信点により形成される複数のセルの一部が重複することを検出する。
【発明の効果】
【００１２】
開示の技術によれば、複数の送信点を有する無線通信システムにおいて、参照信号の干渉を抑止することが可能な技術が提供される。
【図面の簡単な説明】
【００１３】
【図１】ＬＴＥにおける協調送信の例を示す図である。
【図２】超高密度分散アンテナシステムの例を示す図である。
【図３】クラスタの例を説明する図である。
【図４】課題を説明するための図である。
【図５】実施の形態に係る無線通信システムの構成例を示す図である。
【図６】実施の形態に係る管理装置の機能構成例を示す図である。
【図７】セル管理情報の一例を示す図である。
【図８】実施の形態に係る管理装置のハードウェア構成例を示す図である。
【図９】処理手順の例（その１）を説明するための図である。
【図１０】処理手順の例（その２）を説明するための図である。
【図１１】処理手順の例（その３）を説明するための図である。
【発明を実施するための形態】
【００１４】
以下、図面を参照して本発明の実施の形態を説明する。なお、以下で説明する実施の形態は一例に過ぎず、本発明が適用される実施の形態は、以下の実施の形態に限られるわけではない。例えば、本実施の形態に係る無線通信システムはＬＴＥに準拠した方式のシステムを想定しているが、本発明はＬＴＥに限定されるわけではなく、他の方式にも適用可能である。
【００１５】
＜システム構成＞
図５は、実施の形態に係る無線通信システムの構成例を示す図である。実施の形態に係る無線通信システムは、管理装置１と、複数の基地局２と、複数の移動局３とを有する。基地局２の各々はセルを形成し、基地局２が形成するセルの各々はオーバーラップされている。
【００１６】
基地局２は、１以上のアンテナ素子（送信点）を備えている。本実施の形態における基地局２はどのような形態の基地局２をも含む。例えば、ＬＴＥにおけるｅＮＢ（evolved Node B）であってもよいし、ＲＲＨ（Remote Radio Head）であってもよい。基地局２と移動局３とは、ＬＴＥに限られず、どのような通信方式で通信を行ってもよい。
【００１７】
移動局３は、１以上のアンテナ素子を備えており、１以上のアンテナ素子を用いて移動局３と通信を行う。移動局３はＵＥ（User Equipment）と呼ばれてもよいし、端末と呼ばれてもよい。
【００１８】
管理装置１は、基地局２及び移動局３を管理する機能を備えており、複数の基地局２が協調して無線信号の送受信を行うための各種の制御を行う。管理装置１は、ＣＵ（Central Unit）と呼ばれてもよいし、親局と呼ばれてもよいし、集約処理装置と呼ばれてもよい。管理装置１は、移動局３との通信に用いられる１以上の送信点をグループ化することで１以上のクラスタを生成する。また、移動局３の移動に伴いクラスタの再構築を行うことで、移動局３が継続して通信を行うことができるように制御する。図５の例では、クラスタＡ〜Ｄが生成されているが、あくまで一例であり、生成されるクラスタ数に制限はない。
【００１９】
また、管理装置１は、１つのクラスタを構成する複数の送信点の各々に対し、直交された参照信号を割当てる。つまり、管理装置１は、１つのクラスタ内では参照信号が直交されている状態になるように制御する。
【００２０】
＜機能構成＞
図６は、実施の形態に係る管理装置の機能構成例を示す図である。図６に示すように、管理装置１は、通信部１０１、クラスタ管理部１０２、ＲＳ（Reference Signal）制御部１０３及び記憶部１０４を含む。図６は、本実施の形態における主要な機能部のみを示すものであり、本無線通信システムで用いられる通信方式に準拠した動作を行うための図示しない機能も有するものである。ただし、後述する「＜処理手順＞」で説明する管理装置１の処理の一部（例：特定の１つ又は複数の選択方法、具体例、変形例のみ等）を実行可能としてもよい。
【００２１】
通信部１０１は、有線又は無線を介して基地局２及び移動局３と通信を行う機能を有する。
【００２２】
クラスタ管理部１０２は、複数の送信点を、移動局３との通信に用いられる１以上の送信点をグループ化することでクラスタを生成する（クラスタリングする）機能を有する。また、クラスタ管理部１０２は、移動局３の移動等により移動局３との通信に用いられる１以上の送信点が変化した場合、グループ化されている送信点を変更する（クラスタを再構築する）機能を有する。また、クラスタ管理部１０２は、各クラスタにより形成される複数のセル同士の一部が重複することを検出する機能を有する。
【００２３】
ＲＳ制御部１０３は、同一クラスタ内の１以上の送信点の各々から送信される参照信号の割当てを制御する機能を有する。また、クラスタ管理部１０２により、各クラスタにより形成される複数のセル同士の一部が重複することが検出された場合、重複が検出された各クラスタにより形成される複数のセルの各々に直交する参照信号を割当てる（つまり、セル同士が重複する部分で参照信号の干渉が発生しないように制御する）機能を有する。
【００２４】
記憶部１０４は、複数の送信点の各々が形成するセルの重複を管理する「セル管理情報」を記憶する。セル管理情報には、例えば、複数の送信点の各々と、当該複数の送信点の各々が形成するセルと重複するセルを形成する１以上の他の送信点とが対応づけられた情報が格納される。
【００２５】
セル管理情報の一例を図７に示す。図７（ａ）は、複数の送信点の各々が形成するセルが重複している状態を示しており、図７（ｂ）は、図７（ａ）に示す状態に対応するセル管理情報の具体例を示している。クラスタ管理部１０２は、クラスタの生成及びクラスタの再構築を行う際にセル管理情報を参照することで、クラスタ間でセルの重複が発生するのか否かを判断することができる。
【００２６】
＜ハードウェア構成＞
図８は、実施の形態に係る管理装置のハードウェア構成例を示す図である。実施の形態に係る管理装置１は、ＣＰＵ２０１と、ＲＯＭ２０２と、ＲＡＭ２０３と、ＨＤＤ２０４と、操作部２０５と、表示部２０６と、ドライブ装置２０７と、ＮＩＣ（Network Interface card）２０８とを有する。
【００２７】
ＣＰＵ２０１は、管理装置１の全体制御を行うプロセッサである。ＣＰＵ２０１は、ＨＤＤ２０４等に記憶されたオペレーティングシステム、アプリケーション、各種サービス等のプログラムを実行し、管理装置１の各種機能を実現する。ＲＯＭ２０２には、各種のプログラムやプログラムによって利用されるデータ等が記憶される。ＲＡＭ２０３は、プログラムをロードするための記憶領域や、ロードされたプログラムのワーク領域等として用いられる。ＨＤＤ２０４には、各種情報及びプログラム等が記憶される。
【００２８】
操作部２０５は、ユーザからの入力操作を受け付けるためのハードウェアであり、例えばキーボード又はマウスである。表示部２０６は、利用者に向けた表示を行うハードウェアである。
【００２９】
ドライブ装置２０７は、プログラムを記録した記憶媒体２０９からプログラムを読み取る。ドライブ装置２０７によって読み取られたプログラムは、例えば、ＨＤＤ２０４にインストールされる。ＮＩＣ２０８は、管理装置１をネットワークに接続し、データの送受信を行うための通信インタフェースである。
【００３０】
なお、記憶媒体２０９とは、非一時的（non-transitory）な記憶媒体を言う。記憶媒体２０９の例としては、磁気記憶媒体、光ディスク、光磁気記憶媒体、不揮発性メモリなどがある。
【００３１】
＜処理手順＞
続いて、実施の形態に係る無線通信システムが行う処理手順について具体的に説明する。
【００３２】
（クラスタの生成及び再構築について）
管理装置１のクラスタ管理部１０２は、移動局３との通信に用いられる１以上の送信点をグループ化することでクラスタを生成する。より具体的には、クラスタ管理部１０２は、クラスタ間で参照信号の干渉が発生しないようにするため、基本的に、１つのクラスタにグループ化される送信点の数が、本無線通信システム内で直交する参照信号の数（本無線通信システム内で利用可能である直交した参照信号の数）以下になるようにクラスタを生成する。例えば、本無線通信システム内で利用可能である直交した参照信号が１６個である場合、クラスタ管理部１０２は、１６個以下の送信点を１つのクラスタにグループ化する。
【００３３】
また、クラスタ管理部１０２は、移動局３の移動や移動局３の増減等により、移動局３との通信に用いられる送信点が変化した場合、再度グループ化されている送信点を変更する（クラスタを再構築する）。
【００３４】
なお、クラスタ管理部１０２は、クラスタの生成及び再構築を行う為に、無線通信システム内に存在する複数の送信点のうち、移動局３との通信に用いられる送信点はどの送信点なのかを把握する必要がある。例えば、クラスタ管理部１０２は、移動局３から送信される上り参照信号を受信している送信点を、移動局３との通信に用いられる送信であると判断するようにしてもよいし、移動局３から送信されるいずれかの無線信号の受信電力が所定の閾値以上である送信点を、移動局３との通信に用いられる送信点であると判断するようにしてもよい。
【００３５】
（参照信号の干渉抑止について）
続いて、クラスタの生成又は再構築が行われる際に、管理装置１が参照信号の干渉を防止するために行う処理手順の例を説明する。なお、以下の説明では、移動局３の移動等に伴いクラスタの再構築を行う場合を例に説明するが、以下の処理手順は、新たなクラスタの生成を行う場合にも同様に適用することができる。
【００３６】
［処理手順の例（その１）］
処理手順の例（その１）では、クラスタの再構築を行う際に、再構築後のクラスタが形成するセル及び他のクラスタが形成するセルのうち一部が重複することが想定される場合、クラスタ管理部１０２は、いずれか一方のクラスタを構成する送信点を削除する（つまり、クラスタを小さくする）ことで、２つのクラスタが形成するセル同士の重複が発生しないように制御する。
【００３７】
より具体的には、クラスタ管理部１０２は、再構築するクラスタにグループ化される予定の複数の送信点の各々をキーにセル管理情報を検索することで、既に生成されている他のクラスタにグループ化されているいずれかの送信点が形成するセルとの重複が発生するか否かを判定する。重複が発生すると判定した場合、クラスタ管理部１０２は、再構築するクラスタ又は当該他のクラスタのいずれか一方において、重複が発生するセルを形成する送信点を削除することで、２つのクラスタが形成するセル同士の重複が発生しないように制御する。
【００３８】
図９は、処理手順の例（その１）を説明するための図である。図９において、「Ａ−１」、「Ａ−２」、「Ａ−３」、「Ａ−４」、「Ａ−５」が付与されている送信点は、クラスタＡにグループ化されている送信点を示している。同様に、「Ｂ−１」、「Ｂ−２」、「Ｂ−３」、「Ｂ−４」、「Ｂ−５」が付与されている送信点は、クラスタＢにグループ化されている送信点を示している。また、図９の例では、無線通信システム内で５つの直交した参照信号（１番〜５番）を利用可能であると仮定する。また、「Ａ−１」の「１」は参照信号の番号を意味している。つまり、「Ａ−１」送信点は、クラスタＡにグループ化され「１番」の参照信号を送信する送信点を意味する。なお、参照信号の番号は説明の便宜上付与したものであり、特定の系列等を意図しているのではない。
【００３９】
例えば、クラスタの再構築が行われた結果、図９（ａ）に示すように、クラスタＡにグループ化されている送信点「Ａ−２」及び「Ａ−３」形成するセルと、クラスタＢにグループ化されている送信点「Ｂ−２」及び「Ｂ−３」が形成するセルとが重複してしまう場合を想定する。この場合、送信点「Ａ−２」から送信される２番の参照信号と、送信点「Ｂ−２」から送信される２番の参照信号とが干渉してしまうことになる。
【００４０】
そこで、クラスタ管理部１０２は、クラスタの再構築を行う際に、クラスタＡにグループ化されている送信点「Ａ−２」及び「Ａ−３」、又は、クラスタＢにグループ化されている送信点「Ｂ−２」及び「Ｂ−３」を削除する（グループ化の対象外にする）。これにより、クラスタＡとクラスタＢが形成するセル同士の重複が発生しないように制御することができ、参照信号の干渉発生を抑止することができる。図９（ｂ）の例は、クラスタＢにグループ化されている送信点「Ｂ−２」及び「Ｂ−３」が削除された場合を示している。
【００４１】
なお、クラスタ管理部１０２は、送信点を削除する際、移動局３と送信点間で行われている通信のトラフィック量に基づいて、送信点を削除するクラスタ（図９の例ではクラスタＡ又はクラスタＢ）を決定するようにしてもよい。例えば、クラスタ管理部１０２は、トラフィック量が少ない側のクラスタの送信点を削除するようにしてもよい。また、クラスタ管理部１０２は、クラスタ内に存在する移動局３の数に基づいて、送信点を削除するクラスタを決定するようにしてもよい。例えば、クラスタ管理部１０２は、移動局３の数が少ない側のクラスタの送信点を削除するようにしてもよい。
【００４２】
［処理手順の例（その２）］
処理手順の例（その１）では、クラスタの再構築により２つのクラスタが形成するセルのうち一部が重複することが想定される場合、管理装置１は、セルの重複を許容せずに、送信点を削除するようにした。一方、処理手順の例（その２）では、クラスタの再構築により２つのクラスタが形成するセルのうち一部が重複することが想定される場合、管理装置１は、セルの重複を許容しつつ、２つのクラスタにより形成される複数のセル全体で参照信号が直交するように制御する。
【００４３】
例えば、管理装置１のＲＳ制御部１０３は、クラスタの再構築により、２つのクラスタが形成するセルのうち一部が重複し、かつ、重複するセルの間で同一の参照信号が割り当てられてしまう場合、いずれか一方のクラスタにおいて、重複するセルを形成する送信点に割当てられている参照信号と、重複しないセルを形成する送信点に割当てられている参照信号とを入れ替えることで、２つのクラスタにより形成されるセル全体で参照信号が直交するように制御するようにしてもよい。
【００４４】
図１０は、処理手順の例（その２）を説明するための図である。図１０において特に言及しない点は図９と同一でよい。
【００４５】
例えば、図１０（ａ）に示すように、クラスタＡの再構築が行われると、クラスタＡにグループ化されている送信点「Ａ−２」及び「Ａ−３」と、クラスタＢにグループ化されている送信点「Ｂ−２」及び「Ｂ−３」が形成するセル同士が重複してしまう場合を想定する。図１０（ａ）のようにクラスタＡの再構築が行われてしまうと、セル同士が重複している場所では、送信点「Ａ−２」から送信される「２番」の参照信号と、送信点「Ｂ−２」から送信される「２番」の参照信号とが干渉してしまうことになる。同様に、送信点「Ａ−３」から送信される「３番」の参照信号と、送信点「Ｂ−３」から送信される「３番」の参照信号とが干渉してしまうことになる。
【００４６】
この場合、ＲＳ制御部１０３は、例えば、クラスタＢにグループ化されている送信点「Ｂ−２」が送信する参照信号と、クラスタＡが形成するセルとは重複していない送信点「Ｂ−４」（又は、「Ｂ−１」若しくは「Ｂ−５」でもよい）が送信する参照信号とを入れ替える。同様に、クラスタ管理部１０２は、クラスタＢにグループ化されている送信点「Ｂ−３」が送信する参照信号と、クラスタＡが形成するセルとは重複していない送信点「Ｂ−１」（又は、「Ｂ−４」若しくは「Ｂ−５」でもよい）が送信する参照信号とを入れ替える。図１０（ｂ）の例は、クラスタＢにグループ化されている送信点「Ｂ−２」及び「Ｂ−３」の参照信号が入れ替えられた後の状態を示している。
【００４７】
なお、クラスタ管理部１０２は、送信点が送信する参照信号を入れ替える際、移動局３と送信点間で行われている通信のトラフィック量に基づいて、送信点の入替えを行うクラスタ（図１０の例ではクラスタＡ又はクラスタＢ）を決定するようにしてもよい。例えば、クラスタ管理部１０２は、トラフィック量が少ない側のクラスタの送信点を入れ替えるようにしてもよい。また、クラスタ管理部１０２は、クラスタ内に存在する移動局３の数に基づいて、送信点を入れ替えるクラスタを決定するようにしてもよい。例えば、クラスタ管理部１０２は、移動局３の数が少ない側のクラスタの送信点を入れ替えるようにしてもよい。
【００４８】
［処理手順の例（その３）］
処理手順の例（その１）及び処理手順の例（その２）では、１つの送信点は１つのクラスタにのみグループ化されるようにしていた。しかしながら、クラスタの再構築を行う際に、移動局３が移動する位置等によっては、１つの送信点を複数のクラスタにグループ化することが望ましい場合も想定される。そこで、処理手順の例（その３）では、管理装置１は、１つの送信点を複数のクラスタにグループ化することを許容すると共に、複数のクラスタにグループ化される送信点が形成するセルと、いずれかのグループのみにグループ化される送信点が形成するセルとで、それぞれ参照信号が直交するように制御する。
【００４９】
より具体的には、処理手順の例（その３）では、クラスタ管理部１０２は、クラスタの再構築を行う場合、一方のクラスタにグループ化される送信点の一部と他方のクラスタにグループ化される送信点の一部とが同一になるように２つのクラスタのグループ化を行う。
【００５０】
また、ＲＳ制御部１０３は、一方のクラスタのみにグループ化される送信点が形成するセルと、他方のクラスタのみにグループ化される送信点が形成するセルと、両方のクラスタにグループ化される送信点が形成するセルとで参照信号が直交するように参照信号の割当てを行う。
【００５１】
図１１は、処理手順の例（その３）を説明するための図である。図１１において特に言及しない点は図９と同一でよい。
【００５２】
例えば、図１１（ａ）に示す状態において、例えば、クラスタＢ内に存在する移動局３が更にクラスタＡの方向に移動したために、クラスタＢの再構築が必要になった状況を想定する。この場合、クラスタ管理部１０２は、クラスタＡの送信点「Ａ−２」及び「Ａ−３」を、図１１（ｂ）に示すように、クラスタＡ及びクラスタＢの送信点（「Ａ−２、Ｂ−２」、「Ａ−３、Ｂ−３」）としてグループ化する。
【００５３】
また、ＲＳ制御部１０３は、クラスタＡのみにグループ化される送信点が形成するセルと、クラスタＢのみにグループ化される送信点が形成するセルと、クラスタＡ及びクラスタＢの両方にグループ化される送信点が形成するセルとで参照信号が直交するように割当てる。例えば、ＲＳ制御部１０３は、最初に、両方のクラスタにグループ化される送信点に参照信号を割当てる。図１１（ｂ）の例では、ＲＳ制御部１０３は、送信点（「Ａ−２、Ｂ−２」、「Ａ−３、Ｂ−３」）に、それぞれ２番及び３番の参照信号を割当てている。続いて、ＲＳ制御部１０３は、残りの参照信号を選択し、選択した参照信号を、クラスタＡのみにグループ化される送信点とクラスタＢのみにグループ化される送信点のうちセルの重複が発生しない送信点に割当てる。図１１（ｂ）の例では、ＲＳ制御部１０３は、送信点「Ａ−１」及び送信点「Ｂ−１」に１番の参照信号を割当て、送信点「Ａ−４」及び送信点「Ｂ−４」に４番の参照信号を割当て、送信点「Ａ−５」及び送信点「Ｂ−５」に５番の参照信号を割当てている。
【００５４】
なお、クラスタ管理部１０２は、クラスタの再構築を行う場合、一方のクラスタのみにグループ化される送信点の数と、他方のクラスタのみにグループ化される送信点の数と、両方のクラスタにグループ化される送信点の数とを合計した数が、本無線通信システム内で直交する参照信号の数以下になるように送信点をグループ化するようにしてもよい。この場合、各送信点への割当てに必要な参照信号の数は、本無線通信システム内で直交する参照信号の数以下になる。つまり、２つのクラスタの間で必ず参照信号が直交することになるため、ＲＳ制御部１０３は、参照信号の干渉を考慮せずに、任意の各送信点に任意の参照信号を割当てることができる。
【００５５】
［補足事項］
以上説明した各処理手順の例は、３つ以上のクラスタのセルが重なり合う場合にも適用することができる。例えば、処理手順の例（その３）において、１つの送信点を３つ以上のクラスタにグループ化することも可能である。
【００５６】
＜まとめ＞
以上、実施の形態によれば、参照信号を送信する複数の送信点と、前記複数の送信点を管理する管理装置と、移動局とを有する無線通信システムにおける管理装置であって、前記複数の送信点のうち、移動局との通信に用いられる１以上の送信点をグループ化することで生成される第一のクラスタと第二のクラスタと管理する管理部と、前記第一のクラスタ及び前記第二のクラスタ内の複数の送信点の各々から送信される参照信号の割当てを制御する制御部と、を有し、前記管理部は、前記第一のクラスタ内の送信点により形成される複数のセルと前記第二のクラスタ内の送信点により形成される複数のセルの一部が重複することを検出し、前記制御部は、前記管理部で重複が検出された場合、前記第一のクラスタ内の送信点により形成される複数のセルの各々と、前記第二のクラスタ内の送信点により形成される複数のセルの各々とに直交する参照信号を割当てる、管理装置が提供される。この管理装置１により、複数の送信点を有する無線通信システムにおいて、参照信号の干渉を抑止することが可能な技術が提供される。
【００５７】
また、前記複数の送信点の各々が形成するセルの重複を管理するセル管理情報を記憶する記憶部、を有し、前記管理部は、前記第一のクラスタにグループ化される送信点又は前記第二のクラスタにグループ化される送信点を変更する際に、前記セル管理情報に基づいて、前記第一のクラスタ内の送信点により形成される複数のセルと前記第二のクラスタ内の送信点により形成される複数のセルの一部が重複することを検出するようにしてもよい。管理装置１は、より正確にクラスタ間でのセルの重複を検出することができる。また、管理装置１は、新たな送信点が追加された場合であっても、セル管理情報を更新することで、新たな送信点により形成されるセルを考慮してセルの重複を検出することが可能になる。
【００５８】
また、前記管理部は、前記第一のクラスタ内の送信点により形成される複数のセルと前記第二のクラスタ内の送信点により形成される複数のセルのうち一部が重複することを検出した場合、前記第二のクラスタにグループ化される送信点のうち、重複するセルを形成する送信点を前記第二のクラスタから削除する、ようにしてもよい。これにより、管理装置１は、クラスタ間でセルが重複しないように制御することができ、参照信号の干渉を抑止することが可能になる。
【００５９】
また、前記制御部は、前記第一のクラスタにおいて重複するセルを形成する送信点に割当てられる参照信号と、前記第二のクラスタにおいて重複するセルを形成する送信点に割当てられる参照信号とが同一である場合、前記第二のクラスタにおいて重複するセルを形成する送信点に割当てられている参照信号と、前記第二のクラスタにおいて重複しないセルを形成する送信点に割当てられている参照信号とを入れ替えるようにしてもよい。これにより、管理装置１は、クラスタ間でセルの重複を許容しつつ、参照信号の干渉を抑止することが可能になる。
【００６０】
また、前記管理部は、前記第一のクラスタにグループ化される送信点の一部と前記第二のクラスタにグループ化される送信点の一部とが同一になるように前記第一のクラスタと前記第二のクラスタのグループ化を行い、前記制御部は、前記第一のクラスタのみにグループ化される送信点が形成するセルと、前記第二のクラスタのみにグループ化される送信点が形成するセルと、前記第一のクラスタ及び前記第二のクラスタの両方にグループ化される送信点が形成するセルとで直交する参照信号の割当てを行うようにしてもよい。これにより、管理装置１は、複数のクラスタ間で送信点を共有することができ、より柔軟に送信点のクラスタリングを行うことが可能になる。
【００６１】
また、前記第一のクラスタ及び前記第二のクラスタにグループ化される送信点の数は、該無線通信システム内で直交する参照信号として割当て可能な参照信号の数以下であるようにしてもよい。これにより、クラスタ内で参照信号の干渉を抑止することが可能になる。
【００６２】
＜実施形態の補足＞
以上、本発明の実施の形態で説明する各装置（管理装置１／基地局２／移動局３）の構成は、ＣＰＵとメモリを備える当該装置において、プログラムがＣＰＵ（プロセッサ）により実行されることで実現される構成であってもよいし、本実施の形態で説明する処理のロジックを備えたハードウェア回路等のハードウェアで実現される構成であってもよいし、プログラムとハードウェアが混在していてもよい。
【００６３】
以上、本発明の実施の形態を説明してきたが、開示される発明はそのような実施形態に限定されず、当業者は様々な変形例、修正例、代替例、置換例等を理解するであろう。発明の理解を促すため具体的な数値例を用いて説明がなされたが、特に断りのない限り、それらの数値は単なる一例に過ぎず適切な如何なる値が使用されてもよい。上記の説明における項目の区分けは本発明に本質的ではなく、２以上の項目に記載された事項が必要に応じて組み合わせて使用されてよいし、ある項目に記載された事項が、別の項目に記載された事項に（矛盾しない限り）適用されてよい。機能ブロック図における機能部又は処理部の境界は必ずしも物理的な部品の境界に対応するとは限らない。複数の機能部の動作が物理的には１つの部品で行われてもよいし、あるいは１つの機能部の動作が物理的には複数の部品により行われてもよい。実施の形態で述べたシーケンス及びフローチャートは、矛盾の無い限り順序を入れ替えてもよい。処理説明の便宜上、管理装置１／基地局２／移動局３は機能的なブロック図を用いて説明されたが、そのような装置はハードウェアで、ソフトウェアで又はそれらの組み合わせで実現されてもよい。本発明の実施の形態に従って管理装置１が有するプロセッサにより動作するソフトウェア、本発明の実施の形態に従って基地局２が有するプロセッサにより動作するソフトウェア及び本発明の実施の形態に従って移動局３が有するプロセッサにより動作するソフトウェアはそれぞれ、ランダムアクセスメモリ（ＲＡＭ）、フラッシュメモリ、読み取り専用メモリ（ＲＯＭ）、ＥＰＲＯＭ、ＥＥＰＲＯＭ、レジスタ、ハードディスク（ＨＤＤ）、リムーバブルディスク、ＣＤ−ＲＯＭ、データベース、サーバその他の適切な如何なる記憶媒体に保存されてもよい。
（第１項）
参照信号を送信する複数の送信点と、前記複数の送信点を管理する管理装置と、移動局とを有する無線通信システムにおける管理装置であって、
前記複数の送信点のうち、移動局との通信に用いられる１以上の送信点をグループ化することで生成される第一のクラスタと第二のクラスタと管理する管理部と、
前記第一のクラスタ及び前記第二のクラスタ内の複数の送信点の各々から送信される参照信号の割当てを制御する制御部と、
を有し、
前記管理部は、前記第一のクラスタ内の送信点により形成される複数のセルと前記第二のクラスタ内の送信点により形成される複数のセルの一部が重複することを検出し、
前記制御部は、前記管理部で重複が検出された場合、前記第一のクラスタ内の送信点により形成される複数のセルの各々と、前記第二のクラスタ内の送信点により形成される複数のセルの各々とに直交する参照信号を割当てる、
管理装置。
（第２項）
前記複数の送信点の各々が形成するセルの重複を管理するセル管理情報を記憶する記憶部、を有し、
前記管理部は、前記第一のクラスタにグループ化される送信点又は前記第二のクラスタにグループ化される送信点を変更する際に、前記セル管理情報に基づいて、前記第一のクラスタ内の送信点により形成される複数のセルと前記第二のクラスタ内の送信点により形成される複数のセルの一部が重複することを検出する、
第１項に記載の管理装置。
（第３項）
前記管理部は、前記第一のクラスタ内の送信点により形成される複数のセルと前記第二のクラスタ内の送信点により形成される複数のセルのうち一部が重複することを検出した場合、前記第二のクラスタにグループ化される送信点のうち、重複するセルを形成する送信点を前記第二のクラスタから削除する、
第１又は２項に記載の管理装置。
（第４項）
前記制御部は、前記第一のクラスタにおいて重複するセルを形成する送信点に割当てられる参照信号と、前記第二のクラスタにおいて重複するセルを形成する送信点に割当てられる参照信号とが同一である場合、前記第二のクラスタにおいて重複するセルを形成する送信点に割当てられている参照信号と、前記第二のクラスタにおいて重複しないセルを形成する送信点に割当てられている参照信号とを入れ替える、
第１又は２項に記載の管理装置。
（第５項）
前記管理部は、前記第一のクラスタにグループ化される送信点の一部と前記第二のクラスタにグループ化される送信点の一部とが同一になるように前記第一のクラスタと前記第二のクラスタのグループ化を行い、
前記制御部は、前記第一のクラスタのみにグループ化される送信点が形成するセルと、前記第二のクラスタのみにグループ化される送信点が形成するセルと、前記第一のクラスタ及び前記第二のクラスタの両方にグループ化される送信点が形成するセルとで直交する参照信号の割当てを行う、第１又は２項に記載の管理装置。
（第６項）
前記第一のクラスタ及び前記第二のクラスタにグループ化される送信点の数は、該無線通信システム内で直交する参照信号として割当て可能な参照信号の数以下である、第１乃至５項のいずれか一項に記載の管理装置。
【符号の説明】
【００６４】
１  管理装置
２  基地局
３  移動局
１０１  通信部
１０２  クラスタ管理部
１０３  ＲＳ制御部
１０４  記憶部
【図１】
0006581529.tif 000002
【図２】
0006581529.tif 000003
【図３】
0006581529.tif 000004
【図４】
0006581529.tif 000005
【図５】
0006581529.tif 000006
【図６】
0006581529.tif 000007
【図７】
0006581529.tif 000008
【図８】
0006581529.tif 000009
【図９】
0006581529.tif 000010
【図１０】
0006581529.tif 000011
【図１１】
0006581529.tif 000012